(57)【要約】【課題】飛翔昆虫、特にコバエ類に対して高い誘引効果と捕獲効率を示し、しかも構造が簡単で、他の包装資材で被包することなく店頭陳列可能な飛翔昆虫捕獲器の提供。【課題の解決手段】粘着シートが設置される本体部と、誘引材を収納するための凹部を備えた底面部と、飛翔昆虫の進入口を有するカバー部とが連接して一体成形されるプラスチック製飛翔昆虫捕獲器であって、前記本体部と前記底面部との連接部及び前記底面部と前記カバー部との連接部を折り込み、かつ前記本体部の先端部と前記カバー部の先端部を接合させることにより、前記本体部の面状部と前記カバー部の進入口を含む面とが対向する略箱状の内部空間を形成し、前記粘着シートを前記本体部の面状部内側に当接させて垂直状に設置するとともに、前記カバー部の進入口をシールテープで封じ、他の包装資材で被包することなく店頭陳列可能に構成した飛翔昆虫捕獲器。【選択図】図１
2006149295.tif 000002
【特許請求の範囲】
【請求項１】
粘着シートが設置される本体部と、誘引材を収納するための凹部を備えた底面部と、飛翔昆虫の進入口を有するカバー部とが連接して一体成形されるプラスチック製飛翔昆虫捕獲器であって、前記本体部と前記底面部との連接部及び前記底面部と前記カバー部との連接部を折り込み、かつ前記本体部の先端部と前記カバー部の先端部を接合させることにより、前記本体部の面状部と前記カバー部の進入口を含む面とが対向する略箱状の内部空間を形成し、前記粘着シートを前記本体部の面状部内側に当接させて垂直状に設置するとともに、前記カバー部の進入口をシールテープで封じ、他の包装資材で被包することなく店頭陳列可能に構成したことを特徴とする飛翔昆虫捕獲器。
【請求項２】
カバー部の両側辺に粘着シートを固定するための押さえ部を突設したことを特徴とする請求項１記載の飛翔昆虫捕獲器。
【請求項３】
粘着シートが黄橙ないし橙色に着色されてなることを特徴とする請求項１又は２記載の飛翔昆虫捕獲器。
【請求項４】
粘着シート面とカバー部の進入口を含む面との距離を２〜４ｃｍとし、孔面積が２〜４ｃｍ2の進入口を誘引材収納凹部から３〜７ｃｍの高さに１又は２個形成したことを特徴とする請求項１ないし３のいずれか記載の飛翔昆虫捕獲器。
【請求項５】
誘引材が、飛翔昆虫誘引成分として、酢酸、エタノール及び黒砂糖を含有するゲル状体であることを特徴とする請求項１ないし４のいずれか記載の飛翔昆虫捕獲器。
【発明の詳細な説明】
【技術分野】
【０００１】
本発明は、飛翔昆虫、特にチョウバエ、ショウジョウバエ、ノミバエ等のコバエ類を誘引して捕獲する飛翔昆虫捕獲器に関するものである。
【背景技術】
【０００２】
従来、飛翔昆虫を捕獲するものとしていくつかの捕獲器が提案されている。例えば、特開２００２−２７２３４４には、昆虫の侵入口を設けた容器であって、水溶性の誘引剤及び油脂である捕獲剤が入っている飛翔昆虫用捕獲器が記載されているが、液がこぼれたり、容器内で幼虫が発生し使用者に不快感を与えるなどの問題を有していた。また、特開２００３−７９３０１が開示するタイプの飛翔害虫用捕獲器は、粘着性が付与された長尺状の基体を有するので液もれの心配はないが、使用の際に使用者の手などに粘着剤が付着するという問題を生じうる。
更に、特開２００２−２５３１０１には、虫捕獲用粘着剤を塗布したシート体と、このシート体を収容する容器本体と、この容器本体に設けられた虫導入用開口部と揮散性虫誘引マット、及び該シート体に設けられた虫誘引性色彩部から構成される虫捕獲器が記載されている。しかしながら、この公報における虫導入用開口部は、開口面積の大きいものが揮散性虫誘引マットの直上の位置から上方に多数個設けられているため、誘引された飛翔昆虫が粘着されずに逃亡するケースがあり、また、虫誘引性色彩部の色として選択された青色又は黄色は、イエバエには幾分の誘引性を示すもののコバエ類に対する誘引性は十分と言えなかった。そのうえ、虫捕獲器の組み立てが複雑で包装形態の簡略化にも不適であり、改良すべき課題を多々有していた。
【特許文献１】特開２００２−２７２３４４
【特許文献２】特開２００３−７９３０１
【特許文献３】特開２００２−２５３１０１
【発明の開示】
【発明が解決しようとする課題】
【０００３】
本発明は、飛翔昆虫、特にコバエ類に対して高い誘引効果と捕獲効率を示し、しかも構造が簡単で、他の包装資材で被包することなく店頭陳列可能な飛翔昆虫捕獲器を提供しようとするものである。
【課題を解決するための手段】
【０００４】
上記課題を解決するために、本発明は、以下のような構成を採用する。
（１）粘着シートが設置される本体部と、誘引材を収納するための凹部を備えた底面部と、飛翔昆虫の進入口を有するカバー部とが連接して一体成形されるプラスチック製飛翔昆虫捕獲器であって、前記本体部と前記底面部との連接部及び前記底面部と前記カバー部との連接部を折り込み、かつ前記本体部の先端部と前記カバー部の先端部を接合させることにより、前記本体部の面状部と前記カバー部の進入口を含む面とが対向する略箱状の内部空間を形成し、前記粘着シートを前記本体部の面状部内側に当接させて垂直状に設置するとともに、前記カバー部の進入口をシールテープで封じ、他の包装資材で被包することなく店頭陳列可能に構成した飛翔昆虫捕獲器。
（２）カバー部の両側辺に粘着シートを固定するための押さえ部を突設した（１）記載の飛翔昆虫捕獲器。
（３）粘着シートが黄橙ないし橙色に着色されてなる（１）又は（２）記載の飛翔昆虫捕獲器。
（４）粘着シート面とカバー部の進入口を含む面との距離を２〜４ｃｍとし、孔面積が２〜４ｃｍ2の進入口を誘引材収納凹部から３〜７ｃｍの高さに１又は２個形成した（１）ないし（３）のいずれか記載の飛翔昆虫捕獲器。
（５）誘引材が、飛翔昆虫誘引成分として、酢酸、エタノール及び黒砂糖を含有するゲル状体である（１）ないし（４）のいずれか記載の飛翔昆虫捕獲器。
【発明の効果】
【０００５】
本発明の飛翔昆虫捕獲器は、飛翔昆虫、特にコバエ類に対して高い誘引効果と捕獲効率を示し、しかも構造が簡単で、他の包装資材で被包することなく店頭陳列可能なのでその実用性は極めて高い。
【発明を実施するための最良の形態】
【０００６】
本発明の飛翔昆虫捕獲器は、プラスチック製で、粘着シートが設置される本体部と、誘引材を収納するための凹部を備えた底面部と、飛翔昆虫の進入口を有するカバー部とが連接して一体成形されている。そして、本体部と底面部との連接部及び底面部とカバー部との連接部を折り込み、かつ本体部の先端部とカバー部の先端部を接合させることにより、本体部の面状部とカバー部の進入口を含む面とが対向する略箱状の内部空間を形成する。
プラスチックの材質は、成形性にすぐれ、揮散性の飛翔昆虫誘引成分を透過しない、例えばポリエステル、ポリブチレンテレフタレート、ポリカーボネート等が適しており、捕獲器の大きさは、捕獲対象の代表であるコバエ類の習性を考慮し、形成される略箱状の内部空間が、横幅８〜１２ｃｍ程度、奥行き（粘着シート面とカバー部の進入口を含む面の距離に相当）２〜４ｃｍ程度、高さ８〜１５ｃｍ程度になるように設計するのがよい。
なお、カバー部の両側辺に粘着シートを固定するための押さえ部を突設すれば、本体部の先端部とカバー部の先端部を接合させた時に、粘着シートを確実に設置することができるので好ましい。
【０００７】
本発明では、粘着シートを本体部の面状部内側に当接させて垂直状に設置し、好ましくは、孔面積が２〜４ｃｍ2の進入口を誘引材収納凹部から３〜７ｃｍの高さに１又は２個形成する。かかる配置もまた、コバエ類の習性を研究し捕獲効率を種々試験した結果に基づくものである。すなわち、特開２００２−２５３１０１のように、開口面積の大きい虫導入用開口部を揮散性虫誘引マットの直上の位置から上方に多数個設けた場合、誘引されたコバエ類が粘着されずに逃亡するケースがあり、捕獲効率の低下を招く傾向が認められた。
【０００８】
粘着シートは、台紙とその上に塗布される粘着剤、及び使用直前に剥離される離けい紙から構成される。台紙は、飛翔昆虫、特にコバエ類の誘引効果を高めるために、黄橙ないし橙色、好ましくは橙色に着色されているのがよく、青色は、イエバエに対して若干の誘引効果を示すものの、コバエ類に対する誘引効果は十分でない。
なお、粘着シートの大きさは、形成される内部空間の（横幅×高さ）に相応する方形もしくは長方形状のものが適当であるが、前記カバー部に突設される押さえ部に対応する粘着シートの側辺は、使用性の点から粘着剤非塗布部とするのがよい。
【０００９】
粘着剤としては、特に限定されず、一般的に用いられているゴム系粘着剤、アクリル系粘着剤、シリコーン系粘着剤等の種々のものがあげられる。ゴム系粘着剤には、天然ゴム系粘着剤、スチレン・ブタジエンゴム系粘着剤、再生ゴム系粘着剤、ポリイソブチレン・ブチレンゴム系粘着剤、ブロックコポリマー系粘着剤等が含まれる。これらの粘着剤には、必要に応じて軟化剤、老化防止剤、架橋剤等の材料を添加することができ、またこれらの粘着剤は、台紙の片面のみに塗布してもよいし、あるいは両面に塗布しその片面を本体部の面状部に貼り付けるようにしても構わない。
【００１０】
底面部は、その両側で本体部ならびにカバー部と折り込み可能に連接し、その中央には誘引材を収納するための凹部が設けられている。凹部の大きさや深さは、用いる誘引材の量に応じて適宜決定すればよい。本発明の飛翔昆虫捕獲器は、倒れないように安定感を有する形状を採用し、通常底面部で起立させて用いるが、本体部ならびにカバー部の先端部に吊り下げ用の孔を設け吊り下げ使用してもよい。
【００１１】
誘引材は、飛翔昆虫誘引成分として、酢酸、エタノール及び黒砂糖を含有するのが好ましく、酢酸としては通常の合成酢や、穀物酢、果実酢等の醸造酢など、またエタノールについても、発酵エタノールや合成エタノールなど任意に使用できる。
これらの成分の配合量は、組成物全体量に対して酢酸が１．０〜５．０重量％、エタノールが２．０〜１０重量％、黒砂糖が１０〜３０重量％の範囲が適当であり、この混合比率で高い誘引効果を得ることができる。
更に上記成分に加え、１種又は２種以上のフレーバーを添加すれば誘引効果を一層高めることができ、このようなフレーバーとしては、カツオブシフレーバー、ゴマ油フレーバー、海老フレーバー、オニオンフレーバー、キャベツフレーバーなどがあげられる。
【００１２】
本発明で用いる誘引材は、液もれの恐れがなく、しかも飛翔昆虫の幼虫が発生する可能性の少ないゲル状体が好ましい。
ゲル化剤としては、水溶性多糖類及び／又は吸水性樹脂を用いることができる。水溶性多糖類の代表例は、グァーガム、キサンタンガム、ラムダカラギーナン、ジュランガム、アラビアガム、ローカストビーンガム、アルギン酸ソーダ等であり、これらの中では、誘引効果や製造性等の点で、グァーガム、キサンタンガム、及びラムダカラギーナンから選ばれた１種又は２種が好ましい。
また、吸水性樹脂としては、イソブチレン−無水マレイン酸共重合体、ポリアクリル酸塩系ポリマー、澱粉−ポリアクリル酸塩系ポリマー、ＰＶＡ−ポリアクリル酸塩系ポリマー、ＰＶＡ系ポリマー、カルボキシメチルセルロース系ポリマー等があげられる。
【００１３】
誘引材は、前記成分の外、通常溶剤としての水を含み、更に誘引性に支障を来たさない限りにおいてその他の成分を適宜添加することができる。
このような成分としては、例えば、小麦粉、デンプン、デキストリン、マルトース、フルクトース、アラビノース、蜂蜜、カゼイン、アカムシ、鶏卵、魚粉、キャベツ、ニンニク、マッシュルーム、きな粉、糠、粉乳、乾燥酵母、植物油などの食餌成分や基材成分、あるいは安定剤、界面活性剤、分散剤、色素等の各種補助成分があげられる。
【００１４】
また、誘引性に影響を及ぼさない範囲で、各種殺虫成分を添加して殺虫効果を付与することも可能である。殺虫成分としては、天然ピレトリン、アレスリン、フラメトリン、プラレトリン、レスメトリン、フタルスリン、トランスフルトリン、フェノトリン、シフェノトリン、ペルメトリン、エトフェンプロックス等のピレスロイド系殺虫成分、シラフルオフェン等の有機ケイ素系殺虫成分、フェニトロチオン、ダイアジノン、マラソン、プロチオホス等の有機リン系殺虫成分、メトキサジアゾン等のオキサジアゾール系殺虫成分、フィプロニル等のピラゾール系殺虫成分、ピリプロキシフェン、ハイドロプレン等の昆虫成長制御剤等をあげることができる。
【００１５】
本発明では、誘引材を底面部の凹部に収納後、必要ならば天面を不織布や有孔フィルムで覆い、誘引材の散逸を防止したり、あるいは誘引材の揮散性を調節することもできる。
【００１６】
本発明の飛翔昆虫捕獲器のカバー部には、飛翔昆虫の進入口が設けられる。進入口は、前述したとおり、飛翔昆虫、特にコバエ類の習性を考慮して、孔面積を２〜４ｃｍ2とし、また誘引材収納凹部から３〜７ｃｍの高さに１又は２個形成するのがよい。
通常、流通時に埃などが進入口から入り込まないようにこれをシールテープで封じて市販し、使用の際これを剥がして用いるのが一般的である。
【００１７】
かかる構成の飛翔昆虫捕獲器は、製造性にすぐれ、また他の包装資材で被包することなく店頭陳列可能であるという特徴を有する。すなわち、従来品のような小箱包装やブリスター包装を別途必要とせず、包装の簡略化、コストダウン面のメリットは計り知れない。
【００１８】
本発明の飛翔昆虫捕獲器が対象とする飛翔昆虫としては、チョウバエ、ショウジョウバエ、ノミバエ等のコバエ類が典型であるが、その他、イエバエ、クロバエ、キンバエ、ニクバエ等のハエ類やユスリカ、ハチ類等を挙げることができる。
【００１９】
次に、本発明を実施例ならびに試験例に基づき更に詳細に説明する。
【実施例１】
【００２０】
図１は本発明の飛翔昆虫捕獲器の一実施例の斜視図を示し、図２はその展開図を示す。
本発明の飛翔昆虫捕獲器１はポリエステル製で、本体部２と底面部３とカバー部４とから構成され、本体部２と底面部３との連接部及び底面部３とカバー部４との連接部は折り込み可能に一体成形されている。本体部２の先端部２１とカバー部４の先端部４１にはそれぞれ接合手段５が設けられ、両者を接合させることにより、本体部２の面状部２２とカバー部４の進入口６を含む面とが対向する略箱状の内部空間７を形成する。また、使用に際して本体部２の面状部２２に粘着シート８を設置し、底面部３に設けられた凹部９には、誘引材（図示せず）が収納されるようになっている。
内部空間７の大きさは、横幅が約１０ｃｍ、奥行き（粘着シート面８とカバー部４の進入口６を含む面の距離に相当）が約３ｃｍ、高さが約１１ｃｍ程度に設計されており、直径２ｃｍの円形進入口（面積：３．１ｃｍ2）６が誘引材収納用凹部９から５ｃｍの位置に１個穿孔されている。また、カバー部４の両側辺には粘着シート８を確実に設置させるための押さえ部１０が突設され、本体部の先端部２１ならびにカバー部の先端部４１には吊り下げ用の孔１１を有している。
かかる構成の飛翔昆虫捕獲器１は、離けい紙付きの粘着シート８や誘引材を内部に仮収容して組み立て、進入口６にシールテープ１２を貼付した形態で、しかも他の包装資材で被包することなく店頭陳列できるので、極めて実用性の高いものである。
【００２１】
本実施例では、ゲル状誘引材（酢酸を３．５重量％、エタノールを５．０重量％、黒砂糖を２０重量％、カツオブシフレーバーを０．３重量％、水を６９．２重量％、グァーガムを２．０重量％配合してなる組成物）１０ｇを凹部９に充填後、その天面を不織布で被った。次いで、離けい紙を剥離後の粘着シート８（橙色に着色した台紙にゴム系粘着剤を塗布したもの）を本体部２の面状部内側２２に当接させて垂直状に設置した。本体部２の先端部２１とカバー部４の先端部４１を接合させ、進入口６のシールテープ１２を剥がし、台所に置いて使用した。
その結果、コバエ類が効率よく捕獲され、その効果は約１ケ月持続した。また、本飛翔昆虫捕獲器は液もれの心配がなく、使いやすさの点でも優れたものであった。
【実施例２】
【００２２】
実施例１に準じて表１に示す各種の飛翔昆虫捕獲器を作製した。誘引材としては実施例１と同じものを用いた。
１．８ｍ×１．８m×１．８mのチャンバー内の中央に飛翔昆虫捕獲器を置き、オオキモンノミバエ約１００匹を放ち、２４時間後に粘着シート面上に捕獲されたオオキモンノミバエの数を数えた。試験は3回繰り返してその平均捕獲数で評価した。なお、捕獲性能評価は以下の基準によった。
◎；  ３１匹以上、  ○；１１〜３０匹、  △；６〜１０匹、  ×；０〜５匹
【００２３】
【表１】
2006149295.tif 000003
【００２４】
試験の結果、本発明の飛翔昆虫捕獲器は、使いやすく捕獲性能に優れ、特に橙色の粘着シートを選択し、粘着シート面と進入口面との距離を２〜４ｃｍ程度、進入口の面積を２〜４ｃｍ2程度、進入口の誘引材収納凹部からの高さを３〜７ｃｍ程度に設定したものがより効果的であった。
これに対し、比較例１で示されるように、粘着シートを垂直状でなく底面に載置した場合は捕獲性能が悪く、また、粘着剤が基体に付与された市販の棒状の捕獲具（比較例２）は、粘着剤が手指に付着しやすく使用性の点で問題が大きかった。
【産業上の利用可能性】
【００２５】
本発明の飛翔昆虫捕獲器は、飛翔昆虫防除に極めて有用であり、飛翔昆虫以外の害虫防除にも利用できる可能性がある。
【図面の簡単な説明】
【００２６】
【図１】本発明の飛翔昆虫捕獲器の一実施例の斜視図を示す。
【図２】その展開図を示す。
【符号の説明】
【００２７】
１  ：飛翔昆虫捕獲器
２  ：本体部
２１：本体部の先端部
２２：本体部の面状部
３  ：底面部
４  ：カバー部
４１：カバー部の先端部
５  ：接合手段
６  ：進入口
７  ：内部空間
８  ：粘着シート
９  ：誘引材収納用凹部
１０：押さえ部
１１：吊り下げ用の孔
１２：シールテープ
【図１】
2006149295.tif 000004
【図２】
2006149295.tif 000005